(57)【特許請求の範囲】
【請求項１】
絵柄部分を面状の凹部とした版画板の前記凹部に糊を混合した砂その他の粉粒物を充填し、
小さな圧力で１度目の刷りを行い、
次いで大きな圧力で２度目の刷りを行い、版画板に残った粉粒物を転写体に転写し、
前記２度目の刷り物を作品とすることを特徴とした、
版画の制作方法
【請求項２】
粉粒物の版画板の凹部への充填は、版画板の凹部以外をマスキングして行うこととした、
請求項１記載の版画の制作方法
【発明の詳細な説明】
【０００１】
【産業上の利用分野】
この発明は、凹版版画の制作方法に関するものである。
【０００２】
【従来の技術】
銅版を用い、絵柄部分をエッチングによって凹部とし、凹部に付着させたインクを紙に転写する版画手法（凹版版画）は、従来から広く知られている。
しかし、従来の凹版版画は、すべてインクを使用した平面的な仕上がりのものであり、また凹部は線状であって細密な線によって絵柄を作成するものであり、面状に形成するものではない。また、凹版版画は、版画板と紙を重ねてプレス機を通し、大きな圧力を加えて凹部のインクを紙に転写するが、版画板にインクを盛って１度刷ることで作品を完成させており、プレス機を通すたびに毎回インクを盛っている。
【０００３】
他方、砂などの粉粒物を用いて立体的な模様を描く手法として、砂絵が知られている。砂絵は、作者がその感情に基づき砂などを用いて絵柄を表すものであり、作品の仕上がりは１００％作者が支配することができ、刷る工程を経て作品を作る版画のような、作者の支配することのできない偶然が入り込む余地はない。
【０００４】
【発明が解決しようとする課題】
この発明は、作者の支配することのできない偶然が作品に影響する版画の手法を採用しつつ、立体的な模様を得ることができ、かつ仕上がり状態を予測し得る版画手法を得ようとするものである。
【０００５】
【課題を解決するための手段】
この発明の版画の制作方法は、絵柄部分を面状の凹部とした版画板の前記凹部に糊を混合した砂その他の粉粒物を充填し、小さな圧力で１度目の刷りを行い、次いで大きな圧力で２度目の刷りを行って版画板に残った粉粒物を転写体に転写し、前記２度目の刷り物を作品とすることを特徴とするものである。
前記凹部の形成は、直接法（彫刻法）でも間接法（腐蝕法）でもよく、要は版画板に線ではなく面としての凹部が形成されればよい。また、前記版画板は、銅板その他の金属板の他、木板、ゴム板など、通常版画に使用される素材を適宜使用することができる。
更に、前記転写体は、紙の他、布、皮革、陶器、プラスチックシートなど、表面が平滑なものであれば格別の制約はない。
請求項２の発明は、粉粒物の版画板の凹部への充填は、版画板の凹部以外をマスキングして行うものである。
【０００６】
【作用】
版画板の凹部に粉粒物を充填して小さな圧力で１度目の刷りを行うと、充填された粉粒物の一部が剥がれて紙に付着する。どの部分の粉粒物がどの程度の量剥がれるかは事前に予測することはできず、偶然に委ねられる。
１度目の刷りを行った後、凹部に残された粉粒物の配置、量を観察して２度目の刷りによって得られる絵柄を予測することができる。
次いで大きな圧力で２度目の刷りを行うと、凹部に残った粉粒物は全量紙などの転写体に転写され、立体的な版画が得られる。
【０００７】
【発明の実施の形態】
版画板となる銅板１に、絵柄部分をエッチングにより凹部２としてある。凹部２の形成方法に制約はないが、例えば、銅板１全体を塩化ビニールでマスキングして絵柄部分を切り抜き、腐食液に入れて絵柄全体を腐蝕させて面状の凹部２を形成する。
【０００８】
前記銅板１の凹部近傍をテープ３でマスキングする。このとき、凹部がマスキングされないように、凹部の輪郭に沿ってテープ３をカットする。
マスキングの後、凹部２に糊を混合した砂４を充填し、表面をへらで均等にならす。
砂の充填に際し、凹部近傍をマスキングしてあるので、砂が凹部以外に付着することがなく、不用な砂の除去作業を行う必要がない。
【０００９】
前記砂４は、自然の砂を２ないし３回水洗いして汚れや塩分を除去した後、天日乾燥によって完全に乾燥させる。乾燥が不十分であると、接着力が不足して作品完成後砂が剥がれやすくなるなどの障害が発生する。乾燥後ふるいにかけて砂の粒をより分け、必要により砂鉄を取り除く。
次いで、砂に糊（例えば膠）と水を混ぜ合わせる。糊の量は、使用する糊の接着力、粘度などを加味して決定する。作品の保存性からは接着力が高いことが好ましい。一方、粘度は１回目の刷りによって紙に転写される砂の量に大きな影響を及ぼすので、かかる観点から適宜の粘度の接着剤を選定することとなる。
【００１０】
凹部２に砂４を充填した後、マスキングテープ３を剥がし、銅板１に紙５を重ねてプレス機を通過させて１回目の刷りを行う。１回目の刷りにおいて、プレス機の圧力は小さく設定する。プレス機の設定圧力が大きいと１回目の刷りで多量の砂が紙に転写し、小さいと転写量が少ない。このプレス圧力と前記糊の粘度との相関関係で１回目の刷りによる砂の転写量が決まるので、作者の意図に適した転写量が得られるように調整する。
一般的には、１回目のプレス圧力は、手でなでる程度の圧力（２回目のプレス圧１０に対し、２ないし３程度の圧力）が適当と考えられる。
【００１１】
１回目の刷りにおいては、吸湿性のよい紙を用いることが好ましい。１回目の刷りにおいて砂と糊、水の混合物に含まれる水分を吸収することにより、２回目の刷りにおける作品用の紙の水分による変形を防止できるほか、作品の乾燥が早まる。
【００１２】
前記１回目の刷りによって、一部の砂が紙５に転写する。転写状態は、同じ条件でプレスしても毎回異なる。図４と図７とは同じ条件で糊と水を混合した砂を用いて、同じ圧力でプレスして１回目の刷りを行ったものである。
そこで、１回目の刷り状態及び１回目の刷りの後に銅板１の凹部２に残った砂の状態（図５）を確認し、２回目の刷りの状態を予測する。
好ましい（制作意図にあった）刷り上がりが予測された場合は、２回目の刷りを行うが、好ましい刷り上がりが予測されない場合は、この時点で作業を中止して凹部２に残った砂を除去し、再度充填し直す。
【００１３】
好ましい刷り上がり状態が予測された場合は、凹部２に残った砂を用いて２度目の刷りを行う。このときは、凹部２に残った砂４が完全に作品用紙６に転写されるよう、十分に大きな圧力でプレスする。
２度目の刷りによって凹部２に残った砂が完全に作品用紙６に転写されることにより、作品が完成する。図６は１回目の刷りが図４の状態のときの作品であり、図８は１回目の刷りが図７の状態のときの作品である。
【００１４】
上記実施形態においては、粉粒物として砂を用いたので、自然を感じさせる作品とすることができる。
尤も、砂を用いることは必須要件ではなく、金属の粉や粒、ガラスの粉や粒など、糊で固めることのできる粉粒物であれば、適宜用いることができる。また砂と金属、ガラスを混合してもよい。
また、版画板は銅板に限られることなく、凹部の形成手法もエッチングに限られるものではない。
【００１５】
【発明の効果】
この発明によれば、版画板の凹部に粉粒物を充填し、これを転写することにより、形のない粉粒物に立体的な形を与えることができる。そして、１度目の刷りで若干の粉粒物を転写した後、残った粉粒物によって作品を得ることとしたので、同じ版画板を使用しつつも、刷る度ごとに表情（表面の凹凸模様）の異なる立体的な模様を得ることができる。
しかも、１度目の刷りで転写される粉粒物の量は作者の意思に基づくものでないにも関わらず、１度目の刷りの状態を確認することによって２度目の刷りで得られる模様を予測することができるので、偶然性を取り入れつつも作者の意思、制作意図に沿わない作品が仕上がるおそれがない。
すなわちこの発明によれば、従来の版画でもまた砂絵でも得ることのできなかった、偶然性（自然の力）を取り入れた新しいジャンルの作品を得ることができる。
【図面の簡単な説明】
【図１】  この発明実施形態に用いる銅版の平面図
【図２】  同じくマスキングを施した状態の平面図
【図３】  同じく砂を充填した状態の平面図
【図４】  １回目の刷り状態の平面図
【図５】  １回目の刷りの後凹部に残った砂を示す平面図
【図６】  ２回目の刷り上がり状態（作品）の平面図
【図７】  １回目の刷り上がりの別の例を示す平面図
【図８】  ２回目の刷り上がりの別の例を示す平面図
【符号の説明】
１      銅板
２      凹部
３      マスキングテープ
４      砂
５      用紙
６      作品用紙
【図１】
0004390927.tif 000002
【図２】
0004390927.tif 000003
【図３】
0004390927.tif 000004
【図４】
0004390927.tif 000005
【図５】
0004390927.tif 000006
【図６】
0004390927.tif 000007
【図７】
0004390927.tif 000008
【図８】
0004390927.tif 000009